(57)【要約】  酸化する際に発熱する鉄粉を含む発熱性の粉体が通気性のある内袋に封入された構造とされた発熱体と、複数の板状体を積層して構成され、害虫の進入経路となる隙間を有し、内部には前記発熱体を収納する収納空間が設けられた積層体と、を備え、前記積層体及び前記内袋は、生分解性を有する素材によって構成されている捕虫器。
2016088458.tif 000002
【特許請求の範囲】
【請求項１】
酸化する際に発熱する鉄粉を含む発熱性の粉体が通気性のある内袋に封入された構造とされた発熱体と、
複数の板状体を積層して構成され、害虫の進入経路となる隙間を有し、内部には前記発熱体を収納する収納空間が設けられた積層体と、
を備え、
前記積層体及び前記内袋は、生分解性を有する素材によって構成されている捕虫器。
【請求項２】
請求項１に記載の捕虫器であって、
前記積層体は複数枚の段ボールシートが積層された構造とされている捕虫器。
【請求項３】
請求項２に記載の捕虫器であって、
前記段ボールシートは、平行に延びる複数の前記隙間を有する構造とされ、
前記段ボールシートの端面には、前記隙間への入口が開口し、
前記積層体中において隣接する位置にある前記段ボールシートは、それぞれに設けられた前記隙間の延びる方向が、前記段ボールシートの積層方向から見て互いに交差する方向に向けられている捕虫器。
【請求項４】
請求項１から請求項３までのいずれか１項に記載の捕虫器であって、
前記積層体にはホウ酸が担持されている捕虫器。
【請求項５】
請求項１から請求項４までのいずれか１項に記載の捕虫器であって、
隣接する位置にある前記板状体は、にかわで接着されている捕虫器。
【請求項６】
請求項１から請求項５までのいずれか１項に記載の捕虫器であって、
前記積層体にはリモネンを含有する誘引剤が担持されている捕虫器。
【請求項７】
請求項１から請求項６までのいずれか１項に記載の捕虫器であって、
前記内袋は、セロハンを基材とするフィルム材によって構成されている捕虫器。
【請求項８】
請求項１から請求項７までのいずれか１項に記載の捕虫器であって、
前記積層体は、植物性のインクによって黒色に着色されている捕虫器。
【請求項９】
請求項１から請求項８までのいずれか１項に記載の捕虫器であって、
気密性のある外袋に封入されている捕虫器。
【請求項１０】
請求項１から請求項９までのいずれか１項に記載の捕虫器であって、
前記積層体には開口部が設けられ、前記開口部において前記発熱体の一部が露出している捕虫器。
【発明の詳細な説明】
【関連出願の相互参照】
【０００１】
本国際出願は、２０１４年１２月５日に日本国特許庁に出願された日本国特許出願番号第２０１４−２６１２２６号に基づく優先権を主張するものであり、日本国特許出願第２０１４−２６１２２６号の全内容を参照により本国際出願に援用する。
【技術分野】
【０００２】
本開示は捕虫器に関する。
【背景技術】
【０００３】
ワクモ、トリサシダニなどは、鶏などを吸血する害虫である。養鶏業界において、これらの害虫による貧血や吸血ストレスによる飼料摂取量の減少及び産卵率の低下などが問題となっている。その対策として、鶏舎内に高温のスチームを噴射することが行われている。あるいは、殺虫剤などの薬剤を散布することが行われている。また、特許文献１には、ダニなどの害虫を捕獲可能な捕虫器が記載されている。このような捕虫器を使用すれば、ダニなどの害虫を捕獲することができる。
【先行技術文献】
【特許文献】
【０００４】
【特許文献１】特開平１０−１０８６０７号公報
【発明の概要】
【発明が解決しようとする課題】
【０００５】
前述した特許文献１に記載の捕虫器の場合、ダニの他、アリやゴキブリなども捕獲対象として想定されている。そのため、相応に大きな虫が侵入できるような構造になっている。具体的には、複数の床板が配置され、それらの床板間には上下方向に十分に大きな空間が確保されている。また、それらの床板を支えるために壁材等も設けられている。したがって、このような捕虫器を製造する際には、複雑な形状に切り出された部品が必要となり、また、部品点数が過度に多くなる。よって、捕虫器の製造に手間がかかる、という問題を招く。また、特許文献１には、使用後の捕虫器をどのように処分するのかについては、特に説明がない。【０００６】
本開示の一側面は、簡便に製造することができる捕虫器を提供することである。また、本開示の別の側面は、使用後の処理が簡便である捕虫器を提供することである。
【課題を解決するための手段】
【０００７】
本開示の一側面は、捕虫器であって、発熱体と積層体を備える。発熱体は、酸化する際に発熱する鉄粉を含む発熱性の粉体が通気性のある内袋に封入された構造とされる。積層体は、複数の板状体を積層して構成される。積層体は、害虫の進入経路となる隙間を有する。積層体の内部には発熱体を収納する収納空間が設けられている。また、積層体及び内袋は、生分解性を有する素材によって構成されている。【０００８】
このような捕虫器であれば、複数の板状体を積層することによって捕虫器を製造することができる。したがって、例えば、複数の床板間に間隔を設けて、それらの床板を壁面で支えるような複雑な構造とされた捕虫器に比べ、捕虫器の製造に必要な部品の形状が簡素化され、部品点数を削減しやすくなる。その結果、捕虫器を簡単かつ容易に製造可能な構造にすることができる。【０００９】
また、このような捕虫器において、積層体及び内袋は生分解性を有する素材、つまり、微生物によって分解される素材によって構成されている。そのため、このような捕虫器であれば、産業廃棄物として業者に処分を依頼しなくても、例えば、適宜破砕して土壌に埋める、といった手法で廃棄することが可能となる。特に、養鶏業では、鶏舎から大量に鶏糞が回収されるため、その鶏糞を鶏糞処理施設において肥料に加工することが行われている。鶏糞処理施設においては、鶏糞を攪拌機で攪拌することにより、鶏糞の発酵を促し、鶏糞を肥料化している。【００１０】
このような攪拌機を利用している場合には、捕虫器を攪拌機へ投入することにより、攪拌機を利用して捕虫器を破砕するとともに、その破砕物を鶏糞と混合して、破砕物の生分解を促すことができる。また、捕虫器が備える発熱性の粉体には鉄粉が含まれているため、捕虫器の破砕物と鶏糞とを混合すると、鶏糞を単独で肥料化する場合に比べ、肥料中の鉄分が増大する。したがって、使用済みの捕虫器を利用して、鉄分を必要とする農作物に対して施用するのに好適な肥料を製造することができる。さらに、鉄は、アンモニア、硫化水素、トリメチルアミンなどの悪臭の原因となる物質を吸着するため、鶏糞を処理する過程で発生する悪臭を軽減することができる。
【図面の簡単な説明】
【００１１】
【図１】図１は、第１実施形態の捕虫器を示す斜視図である。
【図２】図２は、第１実施形態の捕虫器の内部構造を示す分解図である。
【図３】図３は、第２実施形態の捕虫器を示す斜視図である。
【図４】図４は、第２実施形態の捕虫器の内部構造を示す分解図である。
【図５】図５は、他の実施形態の捕虫器を示す斜視図である。
【図６】図６は、さらに他の実施形態の捕虫器を示す斜視図である。
【符号の説明】
【００１２】
１…捕虫器、２，３，４…段ボールシート、５…発熱体、５Ａ…内袋、５Ｂ…粉体、６…外袋、７…にかわ、８…積層体、１０…捕虫器、１２，１３，１４…段ボールシート、３１…捕虫器、３２，３３，３４，３５，３６…段ボールシート、３７…積層体、５０…開口部、５１…捕虫器、５２，５３，５４…段ボールシート、５８…積層体
【発明を実施するための形態】
【００１３】
以下、本開示が適用された実施形態について、図面を用いて説明する。
［１．第１実施形態］
［１−１．構成］
図１及び図２に示す捕虫器１は、積層体８と、積層体８の内部に配置された発熱体５とを備える。また、捕虫器１は、気密性のある外袋６に封入されている。
【００１４】
積層体８は、３枚の長方形の段ボールシート２，３，４（本明細書でいう板状体の一例に相当。）が積層された構造とされている。段ボールシート２，３，４は、一般的によく知られているものであり、波状加工された中芯材と、中芯材を挟む両側に貼り合わせられた２つのライナーから構成されている。なお、段ボールシート２，３，４は中芯材と１つのライナーから構成されたもの（片面段ボールと呼ばれるもの。）であってもよい。
【００１５】
段ボールシート２，３，４は、生分解性の高いものが採用されている。具体的には、段ボールシート２，３，４としては、古紙１００％のものが利用されている。このような段ボールシート２，３，４を利用すれば、パルプ配合率がより高い段ボールを利用する場合に比べ、段ボールシート２，３，４の生分解性が高くなる。また、段ボールシート２，３，４としては、坪量が１００ｇのものが使用されている。坪量とは、面積１平方メートル当たりの紙の重さを表す単位である。このような段ボールシート２，３，４を利用すれば、坪量がより大きい（重い）段ボールを利用する場合に比べ、段ボールシート２，３，４の生分解性が高くなる。
【００１６】
３枚の段ボールシート２，３，４のうち、真ん中の段ボールシート４は、中央あたりが切り抜かれて長方形の孔が設けられている。この段ボールシート４を２枚の段ボールシート２，３で挟み込むことにより、発熱体５を収納できる収納空間が設けられている。
【００１７】
段ボールシート２，３，４は、にかわ７で接着されている。なお、図２で示すように、段ボールシート２，４の間において、にかわ７は４箇所に塗布されている。また、段ボールシート３，４の間において、にかわ７は４箇所に塗布されている。段ボールシート２，３，４において、中芯材とライナーは、平行に延びる複数の隙間を構成している。複数の隙間の入り口は、段ボールシート２，３，４の波状に見える端面において、外部に開口している。積層体８中において隣接する位置にある段ボールシート２，４は、それぞれに設けられた隙間の延びる方向が、段ボールシート２，４の積層方向から見て互いに直交する方向に向けられている。また、同じく隣接する位置にある段ボールシート３，４も、それぞれに設けられた隙間の延びる方向が、段ボールシート３，４の積層方向から見て互いに直交する方向に向けられている。
【００１８】
段ボールシート２，３，４には、害虫に対して毒性のあるホウ酸が担持されている。具体的には、本実施形態の場合、ホウ酸の溶液をスプレーで吹き付けてから乾燥させてあり、これにより、主に段ボールシート２，３，４の表面にホウ酸が担持されている。ただし、段ボールシート２，３，４にホウ酸を担持させる方法は、これに限定されるものではない。例えば、ホウ酸の溶液をスプレーで吹き付ける代わりに、ホウ酸の溶液中に段ボールシート２，３，４を浸漬して、段ボールシート２，３，４にホウ酸の溶液を浸み込ませてもよいし、ホウ酸の溶液を刷毛などで段ボールシート２，３，４に塗布してもよい。
【００１９】
また、段ボールシート２，３，４には、害虫の誘引剤としてリモネンを含有する誘引剤が担持されている。具体的には、本実施形態の場合、リモネンを含有するオレンジオイル、レモンオイル又はライムオイルなどの柑橘系の精油を、段ボールシート２，３，４に塗布してある。柑橘系の精油を塗布する箇所は発熱体５に近い位置であるとリモネンの放散を促すことができるので好ましい。本実施形態では、段ボールシート４に設けられた長方形の孔を構成する４つの内周面それぞれに前述の誘引剤（柑橘系の精油）を１滴ずつ（計４滴）滴下してある。
【００２０】
発熱体５は、図２で示すように、通気性のある内袋５Ａと、内袋５Ａに封入された発熱性の粉体５Ｂと、を備える。なお、図２では、内袋５Ａの内部の発熱性の粉体５Ｂを図示するために、内袋５Ａの一部を破断してある。内袋５Ａはセロハンを基材とするフィルム材によって構成されている。発熱性の粉体５Ｂは、酸化する際に発熱する還元鉄粉を含有する。
【００２１】
以上のように構成された捕虫器１は、使用時に外袋６が開封されて、例えば鶏舎内の必要箇所に設置される。外袋６が開封された後は、発熱体５が空気にさらされるため、空気中の酸素によって発熱性の粉体５Ｂに含まれる還元鉄粉が酸化し、発熱体５が発熱する。発熱性の粉体５Ｂ中に含まれる成分は、４０〜４５℃の温度を、２４時間以上維持できるように、各成分の配合比や還元鉄粉の量などが調整されている。
【００２２】
発熱体５が発熱すると、捕虫器１の内部や周辺の温度が上昇し、そのような環境を好む害虫が捕虫器１に集まる。ワクモやトリサシダニのようなダニ類は狭い隙間や暗い環境を好むため、段ボールシート２，３，４の端面にある複数の隙間から、段ボールシート２，３，４の内部へと進入する。また、段ボールシート２と段ボールシート４との間や、段ボールシート３と段ボールシート４との間にも隙間があるため、この隙間にも害虫が進入する。また、本実施形態の場合、発熱体５が発熱すると、リモネンやにかわに含まれる成分が捕虫器１の外部へと放散するため、そのような成分を好む害虫が集まりやすくなる。
【００２３】
捕虫器１は、鶏舎内に例えば半日〜５日程度設置された後に、回収、処分される。これにより、鶏舎内の害虫が駆除される。回収された捕虫器１は、廃棄することや焼却することなどもできるが、鶏糞肥料の原料として利用することもできる。具体的には、鶏糞処理施設において鶏糞を肥料化する際には、鶏糞を攪拌機で攪拌して鶏糞の発酵を促し、肥料化することが行われている。そこで、回収した捕虫器１を攪拌機へ投入することにより、攪拌機で捕虫器１を破砕し、その破砕物を鶏糞と混合して肥料化する。
【００２４】
このようにして肥料化された混合物中には、段ボールシート２，３，４や内袋５Ａの破砕物が含まれているが、これらはいずれも生分解性の高い材料でできているので、肥料化する際、もしくは肥料として施用された土壌中において生分解され、土に還すことができる。また、発熱性の粉体５Ｂも、そのまま土壌中に混ざることで土に還る。特に、発熱性の粉体５Ｂ中に含まれる酸化した鉄粉は、鉄分を好む植物に対する肥料となる。
【００２５】
［１−２．捕虫器の性能評価］
本実施形態で説明した捕虫器１の性能を、次の方法によって評価した。
捕虫器１を鶏舎に設置し、ワクモなどのダニ類をどの程度捕獲できるのかを調べた。具体的には、鶏舎内には、鶏を飼育するためのケージが設置された段が３段あり、各段に複数のケージが並べられている。そこで、各段の上に捕虫器１を設置し、１日又は４日経過した後に捕虫器１を取り出して、捕虫器１の重量を測定し、重量の増加分に基づいてワクモの捕獲量を推定した。なお、捕獲されたワクモ１ｇを秤量して、その中に含まれるワクモの数を数えたところ、１６２００匹であった。そのため、本実施形態では、測定された重量１ｇをワクモ１６２００匹と換算した。
【００２６】
また、比較のため、段ボールシートのみから構成された捕虫器（以下、対照捕虫器と称する）も用意した。対照捕虫器で使用された段ボールシートは、本実施形態の捕虫器１の段ボールシート２，３，４と同じ素材かつ同じ形状のものである。ただし、対照捕虫器には、発熱体５が設けられていない。また、対照捕虫器には、ホウ酸、及びリモネンを含有する誘引剤が担持されていない。また、対照捕虫器の３枚の段ボールシートは、にかわで接着されておらず、単に重ねられた状態になっている。このような対象捕虫器も、上述の捕虫器１と同様の条件で鶏舎内に設置して、同様の日数が経過した後に重量を測定した。これらの結果を以下の表１及び表２に示す。
【００２７】
【表１】
2016088458.tif 000003
【００２８】
【表２】
2016088458.tif 000004
【００２９】
以上の結果から、本実施形態の捕虫器１を利用すれば、対象捕虫器を利用する場合よりも、設置日数１日の場合、４．７倍、設置日数４日の場合、６．８倍多くのワクモを捕獲できることがわかる。
【００３０】
［１−３．効果］
以上詳述した本実施形態によれば、以下の効果が得られる。
（１ａ）本実施形態の捕虫器１は、３枚の段ボールシート２，３，４が積層された構造とされている。そのため、前述した特許文献１に記載の捕虫器に比べ、容易に薄型化を図ることができ、鶏舎内に設置されたケージ間の狭い設置スペースやケージの上下にある狭い設置スペースなどにも容易に設置することができる。また、使用前の捕虫器１を保管する際にも、本実施形態の捕虫器１であれば、特許文献１に記載の捕虫器ほどかさばらないので、容易に保管することができる。
【００３１】
（１ｂ）本実施形態の捕虫器１において、段ボールシート２，３，４は、平行に延びる複数の隙間を有する構造とされ、段ボールシート２，３，４の端面には、隙間への入口が開口している。このような構成によれば、段ボールシートが有する複数の隙間を利用して害虫の進入路を構成することができる。したがって、段ボールシート以外の材料で捕虫器を構成する場合に比べ、容易に害虫の進入路を設けるができる。
【００３２】
また、本実施形態の捕虫器１の場合、積層体８中において段ボールシート２，４は、それぞれに設けられた隙間の延びる方向が、段ボールシート２，４の積層方向から見て互いに直交する方向に向けられている。段ボールシート３，４に関しても同様である。したがって、このような捕虫器１を用いれば、四方から進入してくる害虫を捕獲することができる。
【００３３】
（１ｃ）本実施形態の捕虫器１の場合、積層体８に、害虫に対して毒性のあるホウ酸が担持されている。したがって、捕虫器１に進入してきた害虫を殺すことができる。
（１ｄ）本実施形態の捕虫器１の場合、隣接する位置にある段ボールシート２，３，４は、にかわ７で接着されている。そのため、生分解性の低い合成樹脂が使われている接着剤とは異なり、鶏糞処理施設にて鶏糞と共に捕虫器１を処理して肥料化することができる
また、にかわ７には、接着剤としての機能の他、害虫を誘引する作用もある。したがって、にかわ７を接着剤として用いれば、他の接着剤を用いた場合よりも、害虫が誘引されやすくなり、より多くの害虫を捕獲できるようになる。
【００３４】
（１ｅ）本実施形態の捕虫器１の場合、積層体８に、リモネンを含有する誘引剤が担持されている。したがって、リモネンの作用によって害虫を誘引することができるので、リモネンを含有する誘引剤が担持されていない場合に比べ、より多くの害虫を捕獲することができる。
【００３５】
（１ｆ）本実施形態の捕虫器１の場合では、内袋５Ａは、セロハンを基材とするフィルム材によって構成されている。したがって、生分解性の低い材質の内袋が使われている場合とは異なり、鶏糞処理施設にて鶏糞と共に捕虫器１を処理して肥料化することができる。
【００３６】
（１ｇ）本実施形態の捕虫器１の場合、捕虫器１全体が気密性のある外袋６に封入されている。そのため、発熱体５そのものを気密性のある袋に封入しておかなくても、外袋６を開封しない限り、発熱体５が発熱することはない。また、捕虫器１を使用する際には、外袋６を開封するだけで、発熱体５を発熱させることができる。したがって、発熱体５そのものが気密性の袋に封入されているものとは異なり、気密性の袋に入った発熱体５をわざわざ積層体８から取り出してから袋を開封しなくても済み、簡便な作業により、捕虫器１を使用し始めることができる。
【００３７】
［２．第２実施形態］
第２実施形態は、基本的な構成は第１実施形態と同様であるため、共通する構成については説明を省略し、相違点を中心に説明する。なお、第１実施形態と同じ符号は同一の構成を示すものであって、先行する説明を参照する。
【００３８】
［２−１．構成］
図３及び図４に示す捕虫器３１は、積層体３７と積層体３７の内部に配置された発熱体５とを備える。
【００３９】
積層体３７は、５枚の正方形の段ボールシート３２，３３，３４，３５，３６が積層された構造とされている。
５枚の段ボールシート３２，３３，３４，３５，３６のうち、積層体の最表層の位置にある２枚の段ボールシート３２，３６に挟まれた段ボールシート３３，３４，３５は、それぞれに中央あたりが切り抜かれて正方形の孔が設けられている。これらの段ボールシート３３，３４，３５を２枚の段ボールシート３２，３６で挟むことにより、発熱体５を収納できる収納空間が設けられている。
【００４０】
［２−２．効果］
（２ａ）第２実施形態の捕虫器３１は、５枚の段ボールシート３２，３３，３４，３５，３６が積層された構造とされている。そのため、第１実施形態の捕虫器１に比べ、捕虫器３１は、害虫の入り口となる隙間が多く開口している。したがって、このような捕虫器３１を用いれば、捕虫器３１よりも少ない数の段ボールシートを積層して構造される捕虫器よりも、害虫は捕虫器３１に進入しやすくなる。
【００４１】
（２ｂ）第２実施形態の捕虫器３１は、３枚の段ボールシート３３，３４，３５が切り抜かれて発熱体５の収納空間が設けられている。そのため、第１実施形態の捕虫器１に比べ、捕虫器３１はより広い収納空間を設けることができる。したがって、捕虫器３１は、捕虫器１の収納空間に収納される発熱体５のサイズよりも大きいサイズの発熱体５を収納することができ、発熱時間がより長時間維持することができる。
【００４２】
［３．他の実施形態］
以上、本開示の実施形態について説明したが、本開示は上記実施形態に限定されることなく、種々の形態を採り得る。
【００４３】
（３ａ）上記実施形態では、積層体として、３枚の段ボールシート２，３，４及び５枚の段ボールシート３２，３３，３４，３５，３６が積層される例を示したが、３枚及び５枚に限らず何枚の段ボールシートを積層してもよい。
【００４４】
（３ｂ）上記実施形態では、生分解性のある板状体として、段ボールシート２，３，４，３２，３３，３４，３５，３６の例を示したが、これに限定されるものではない。例えば、段ボールシートと同等又は類似の板状体を生分解性プラスチックなどで構成してもよい。ただし、段ボールシート以外の板状体を採用する場合でも、板状体には害虫の進入経路となる隙間が設けられていると好ましい。あるいは、板状体自体には隙間が設けられていなくても、隣り合う位置に積層される板状体間に隙間が設けられていれば、そのような積層体であってもよい。なお、積層体に設けられる隙間の寸法は０．１〜１０ｍｍがよく、特に０．５〜５ｍｍが好ましい。
【００４５】
（３ｃ）上記第１実施形態では、板状体の配置として、隣接する位置にある段ボールシート２，４は、それぞれに設けられた隙間の延びる方向が、段ボールシート２，４の積層方向から見て互いに直交する方向に向けられている例を示した。また、同じく隣接する位置にある段ボールシート３，４も、それぞれに設けられた隙間の延びる方向が、段ボールシート３，４の積層方向から見て互いに直交する方向に向けられている例を示した。上記第２実施形態においても、同様である。しかし、板状体の配置は直交する方向に限定されるものではない。例えば、図５に示す捕虫器１０ように、隣接する位置にある段ボールシート１２，１３，１４は、それぞれに設けられた隙間の延びる方向が、段ボールシートの積層方向から見て互いに平行な方向に向けられていてもよい。
【００４６】
（３ｄ）上記実施形態では、接着剤として、にかわ７を用いた例を示したが、接着剤はこれに限定されるものではなく、天然素材の接着剤でもよい。例えば、米のりを原料としたでんぷんのりなどを用いてもよい。
【００４７】
（３ｅ）上記実施形態では、にかわ７の接着箇所の数として、段ボールシート２，３，４，３２，３３，３４，３５，３６の４箇所で接着する例を示したが、接着箇所の数はこれに限定されるものではない。例えば、段ボールシートの任意の１箇所又はそれ以上の箇所ににかわ７を塗布して、貼りあわせてもよい。あるいは、にかわを段ボールシート全体に薄く塗布して貼りあわせてもよい。
【００４８】
また、前述したように、にかわ７には害虫を誘引する効果があるため、にかわ７を接着剤としては利用せず、単なる誘引剤として用いてもよい。
（３ｆ）上記実施形態では、内袋がセロハンを基材とするフィルム材によって構成される例を示したが、これに限定されるものではなく、内袋は生分解性のある材料であればセロハン以外の材料で構成されてもよい。また、上記実施形態では言及しなかったが、内袋の生分解を妨げない範囲内であれば、内袋を構成するフィルム材は、基材の表面に、基材とは別材料による表面処理（例えばコーティング処理等。）が施されていてもよい。例えば、セロハンを基材とするフィルム材で内袋を構成する場合、基材（セロハン）の表面が防湿剤で表面処理されていてもよい。
【００４９】
（３ｇ）上記実施形態では、特に説明していないが、段ボールシート２，３，４，３２，３３，３４，３５，３６は着色されていてもよいし、着色されていなくてもよい。段ボールシート２，３，４を着色する場合は、黒色に着色するのが好ましい。
【００５０】
一般的にダニ類は黒色などの暗い色に集まりやすいと言われている。そのため、段ボールシートを黒色に着色すれば、明るい色の捕虫器よりも、ダニ類をたくさん集めることができる。また、段ボールシート２，３，４を着色する場合は、植物性のインクによって着色すると好ましい。植物性のインクを用いて着色すれば、捕虫器を破砕して土壌に埋めたときに、インクが土壌汚染の原因物質になるのを抑制することができる。
【００５１】
（３ｈ）上記実施形態では、捕虫器の構造として、発熱体５が積層体８又は積層体３７の内部に収納されている例を示したが、これに限定されるものではない。例えば、積層体に開口部が設けられ、開口部において発熱体の一部が外部に露出していてもよい。具体的には、図６に示す捕虫器５１のように、３枚の段ボールシート５２，５３，５４のうち、最も外側に位置する段ボールシート５２の中央あたりに、丸い開口部５０を設ける。そして、積層体５８内部に収納されている発熱体５の一部を、開口部５０において積層体５８の外部に露出させる。
【００５２】
このように構成された捕虫器５１によれば、磁石を利用して捕虫器５１を所定の場所に固定することができる。具体的には、例えば、鶏舎のケージの壁に磁石を備え付け、その磁石に露出した発熱体をくっつけることにより、捕虫器をケージの壁に設置することができる。
【００５３】
（３ｉ）上記実施形態における１つの構成要素が有する機能を複数の構成要素として分散させたり、複数の構成要素が有する機能を１つの構成要素に統合させたりしてもよい。また、上記実施形態の構成の一部を省略してもよい。また、上記実施形態の構成の少なくとも一部を、他の上記実施形態の構成に対して付加又は置換してもよい。なお、特許請求の範囲に記載した文言のみによって特定される技術思想に含まれるあらゆる態様が本開示の実施形態である。
【図１】
2016088458.tif 000005
【図２】
2016088458.tif 000006
【図３】
2016088458.tif 000007
【図４】
2016088458.tif 000008
【図５】
2016088458.tif 000009
【図６】
2016088458.tif 000010
【手続補正書】
【提出日】平成29年6月21日(2017.6.21)
【手続補正１】
【補正対象書類名】特許請求の範囲
【補正対象項目名】全文
【補正方法】変更
【補正の内容】
【特許請求の範囲】
【請求項１】
酸化する際に発熱する鉄粉を含む発熱性の粉体が通気性のある内袋に封入された構造とされた発熱体と、
複数の板状体を積層して構成され、害虫の進入経路となる隙間を有し、内部には前記発熱体を収納する収納空間が設けられた積層体と、
を備え、
前記積層体及び前記内袋は、生分解性を有する素材によって構成され、
前記積層体は複数枚の段ボールシートが積層された構造とされており、
前記段ボールシートは、平行に延びる複数の前記隙間を有する構造とされ、
前記段ボールシートの端面には、前記隙間への入口が開口し、
前記積層体中において隣接する位置にある前記段ボールシートは、それぞれに設けられた前記隙間の延びる方向が、前記段ボールシートの積層方向から見て互いに交差する方向に向けられている、捕虫器。
【請求項２】
請求項１に記載の捕虫器であって、
前記積層体にはホウ酸が担持されている捕虫器。
【請求項３】
請求項１又は請求項２に記載の捕虫器であって、
隣接する位置にある前記板状体は、にかわで接着されている捕虫器。
【請求項４】
請求項１から請求項３までのいずれか１項に記載の捕虫器であって、
前記積層体にはリモネンを含有する誘引剤が担持されている捕虫器。
【請求項５】
請求項１から請求項４までのいずれか１項に記載の捕虫器であって、
前記内袋は、セロハンを基材とするフィルム材によって構成されている捕虫器。
【請求項６】
請求項１から請求項５までのいずれか１項に記載の捕虫器であって、
前記積層体は、植物性のインクによって黒色に着色されている捕虫器。
【請求項７】
請求項１から請求項６までのいずれか１項に記載の捕虫器であって、
気密性のある外袋に封入されている捕虫器。
【請求項８】
請求項１から請求項７までのいずれか１項に記載の捕虫器であって、
前記積層体には開口部が設けられ、前記開口部において前記発熱体の一部が露出している捕虫器。
【国際調査報告】
2016088458.tif 000011
2016088458.tif 000012
2016088458.tif 000013
2016088458.tif 000014